(57)【要約】【課題】肌触りが滑らかで、着用しやすい使い捨て吸収性物品を提供することを目的とする。【解決手段】サイドシート３２の自由端部近傍には長手方向に延びる起立用弾性部材３８が伸長状態で取り付けられ、起立用弾性部材３８の収縮により上方に立ち上がるサイドシート３２の部位を起立部３２１とし、少なくともサイドシート３２の長手方向両端部近傍と、長手方向の中間に位置するサイドシート３２の中間部近傍とにおいて、起立部３２１の起立幅Ｐが長手方向に均一となるように構成する。このため、起立部３２１の起立幅Ｐが長手方向に均一であるので、幅方向一方側から見て起立部３２１は略弓状に反った状態となる。したがって、着用者の主に股関節部にフィットし、着用者に異物感や違和感を与えることなく、快適な着用性を確保することができる。【選択図】図４
2010094334.tif 000002
【特許請求の範囲】
【請求項１】
吸収材を内部に有する吸収性本体と、前記吸収性本体の幅方向両側端部それぞれから延びるサイドシートとを備え、前記サイドシートの前記自由端部近傍には前記幅方向に垂直な長手方向に延びる起立用弾性部材が伸長状態で取り付けられている使い捨て吸収性物品であって、
前記起立用弾性部材の収縮により上方に立ち上がるサイドシートの部位を起立部とし、
少なくとも前記サイドシートの長手方向両端部近傍と、前記長手方向の中間に位置する前記サイドシートの中間部近傍とにおいて、前記起立部の起立幅が長手方向に均一であることを特徴とする使い捨て吸収性物品。
【請求項２】
請求項１に記載の使い捨て吸収性物品であって、
前記起立部の起立幅が、前記サイドシートの長手方向一方側端部から他方側端部にかけて均一であることを特徴とする使い捨て吸収性物品。
【請求項３】
請求項１又は請求項２に記載の使い捨て吸収性物品であって、
前記起立部は、前記サイドシートの前記起立用弾性部材の周辺部位であることを特徴とする使い捨て吸収性物品。
【請求項４】
請求項１乃至請求項３のいずれかに記載の使い捨て吸収性物品であって、
前記起立部の起立幅が、０．５ｍｍ乃至５ｍｍであることを特徴とする使い捨て吸収性物品。
【請求項５】
前腹部と後背部の上側にウエスト開口部が形成され、前記前腹部と前記後背部との間の股部の両側に脚開口部が形成されてなるパンツ型の使い捨て吸収性物品であって、
前記使い捨て吸収性物品には外側シート部材が設けられていて、前記吸収性本体が、前記外側シート部材の肌面側に接合されている請求項１乃至請求項４のいずれかに記載の使い捨て吸収性物品。
【請求項６】
請求項１乃至請求項５のいずれかに記載の使い捨て吸収性物品であって、
前記サイドシートの前記幅方向の寸法は、前記サイドシートの前記長手方向一方側端部から他方側端部にかけて均一で、
前記サイドシートと、前記サイドシートと対向する前記吸収性本体との間に、前記サイドシート若しくは前記吸収性本体の幅方向外側端部から前記幅方向内側に所定の距離のところまでに前記長手方向にわたって接着層を形成し、
前記接着層の前記幅方向の寸法が長手方向に均一であることを特徴とする使い捨て吸収性物品。
【請求項７】
請求項１乃至請求項５のいずれかに記載の使い捨て吸収性物品であって、
少なくとも長手方向両端部近傍、及び長手方向中間部近傍の前記サイドシートの部位をそれぞれ前記吸収性本体に接合して前記サイドシートの長手方向に少なくとも三カ所接合部位を形成し、
前記長手方向に配列する前記接合部位の間には、前記サイドシートと前記吸収性本体とで前記幅方向内方に開口したポケット部が形成されることを特徴とする使い捨て吸収性物品。
【請求項８】
請求項１乃至請求項５のいずれかに記載の使い捨て吸収性物品であって、
前記サイドシートの前記幅方向の寸法は、前記サイドシートの前記長手方向一方側端部から他方側端部にかけて均一で、
前記サイドシートは、前記サイドシートが有する前記長手方向に延びる折曲部を軸に二つ折り状とされており、上側に位置する上側サイドシートと、前記上側サイドシートと対向する下側サイドシート及び／又は前記吸収性本体との間に、前記折曲部から前記幅方向内方に所定の距離のところまでに前記長手方向にわたって接着層を形成し、
前記接着層の前記幅方向の寸法が長手方向に均一であることを特徴とする使い捨て吸収性物品。
【請求項９】
請求項１乃至請求項５のいずれかに記載の使い捨て吸収性物品であって、
前記サイドシートは、前記サイドシートが有する前記長手方向に延びる折曲部を軸に二つ折り状とされており、上側に位置する上側サイドシートにおいて、少なくとも長手方向両端部近傍、及び長手方向中間部近傍の前記上側サイドシートの部位をそれぞれ、前記上側サイドシートに対向する下側サイドシート及び／又は吸収性本体に接合して長手方向に少なくとも三カ所接合部位を形成し、
長手方向に配列する前記接合部位の間には、前記上側サイドシートと前記下側サイドシート及び／又は前記吸収性本体とで前記幅方向内方に開口したポケット部が形成されることを特徴とする使い捨て吸収性物品。
【発明の詳細な説明】
【技術分野】
【０００１】
本発明は、パンツ型の使い捨ておむつ等のような、着用者の股部にあてがわれて排泄物を吸収する使い捨て吸収性物品に関する。
【背景技術】
【０００２】
近年、使い捨ておむつ、使い捨てパンツ、生理用ナプキンなどの使い捨て吸収性物品を用いる衛生材料の分野において、特に、中・軽度の失禁者に対する薄型で快適な吸収性物品の開発が求められている。上記中・軽度の失禁を対象とする使い捨て吸収性物品としては、着用者の歩行の動作を妨げることなく、より薄型で、はき心地のよい使い捨て吸収性物品が求められる場合が多い。
【０００３】
従来から使用されている使い捨て吸収性物品、例えば、パンツ型使い捨ておむつとしては、腹側部と背側部の上側にウエスト開口部が形成され、腹側部と背側部との間の股部両側に脚開口部が形成されてなるパンツ型の外装シートが設けられている。そして、このパンツ型の外装シートを構成する液不透過性のバックシートと、肌面側の液透過性のトップシートとで吸収材を挟み、この肌面側における左右側縁近傍に堤部（サイド立体ギャザー）を帯状に形成したものが知られている。このサイド立体ギャザーは、その頂部に糸ゴム等の弾性部材を挟んだ液不透過性のサイドシートからなり、弾性部材が収縮することによりサイドシートが立ち上がり、これによって尿や便等が堰き止められ、おむつの両側縁からの漏れ（横漏れ）が防止されるというものである。
【０００４】
このような従来の使い捨て吸収性物品については、例えば、特許文献１に開示されている。
【０００５】
【特許文献１】国際公開第ＷＯ０１／３９７１４号公報
【発明の開示】
【発明が解決しようとする課題】
【０００６】
しかしながら、特許文献１に記載の使い捨ておむつのように、長手方向に延びるサイド立体ギャザーの幅方向の寸法が、サイド立体ギャザーの長手方向一方側端部から他方側端部にかけて不均一だと、弾性部材の収縮により立ち上がったサイド立体ギャザーの立ち上がり幅も長手方向に不均一となり、当該使い捨ておむつを着用者が着用したときに、着用者の主に股関節部にフィットせず、着用者に異物感や違和感を与えてしまう恐れがある。
【０００７】
また、サイド立体ギャザーは肌面側に向けて立ち上がっているが、従来の使い捨て吸収性物品の起立部の立ち上がり幅は２０ｍｍ乃至６０ｍｍと大きく、使い捨て吸収性物品を着用者が着用したときに、サイド立体ギャザーの先端部が着用者の肌に必要以上に当たって不快感を与えるという恐れもある。
【０００８】
また、パンツ型使い捨て吸収性物品を着用するとき、ウエスト開口部から脚を入れて脚開口部から脚を出そうとしたとき、立ち上がったサイド立体ギャザーが脚に引っかかって脚を通しにくいという問題もあった。
【０００９】
本発明は、上記課題を解決するものであって、肌触りが滑らかで、着用しやすい使い捨て吸収性物品を提供することを目的とする。
【課題を解決するための手段】
【００１０】
上記課題を解決するため、請求項１に係る発明は、吸収材を内部に有する吸収性本体と、前記吸収性本体の幅方向両側端部それぞれから延びるサイドシートとを備え、前記サイドシートの前記自由端部近傍には前記幅方向に垂直な長手方向に延びる起立用弾性部材が伸長状態で取り付けられている使い捨て吸収性物品であって、前記起立用弾性部材の収縮により上方に立ち上がるサイドシートの部位を起立部とし、少なくとも前記サイドシートの長手方向両端部近傍と、前記長手方向の中間に位置する前記サイドシートの中間部近傍とにおいて、前記起立部の起立幅が長手方向に均一であることを特徴とする。
【００１１】
請求項２に係る発明は、請求項１に記載の使い捨て吸収性物品であって、前記起立部の起立幅が、前記サイドシートの長手方向一方側端部から他方側端部にかけて均一であることを特徴とする。
【００１２】
請求項３に係る発明は、請求項１又は請求項２に記載の使い捨て吸収性物品であって、前記起立部は、前記サイドシートの前記起立用弾性部材の周辺部位であることを特徴とする。
【００１３】
請求項４に係る発明は、請求項１乃至請求項３のいずれかに記載の使い捨て吸収性物品であって、前記起立部の起立幅が、０．５ｍｍ乃至５ｍｍであることを特徴とする。
【００１４】
請求項５に係る発明は、前腹部と後背部の上側にウエスト開口部が形成され、前記前腹部と前記後背部との間の股部の両側に脚開口部が形成されてなるパンツ型の使い捨て吸収性物品であって、前記使い捨て吸収性物品には外側シート部材が設けられていて、前記吸収性本体が、前記外側シート部材の肌面側に接合されている請求項１乃至請求項４のいずれかに記載の使い捨て吸収性物品であることを特徴とする。
【００１５】
請求項６に係る発明は、請求項１乃至請求項５のいずれかに記載の使い捨て吸収性物品であって、前記サイドシートの前記幅方向の寸法は、前記サイドシートの前記長手方向一方側端部から他方側端部にかけて均一で、前記サイドシートと、前記サイドシートと対向する前記吸収性本体との間に、前記サイドシート若しくは前記吸収性本体の幅方向外側端部から前記幅方向内側に所定の距離のところまでに前記長手方向にわたって接着層を形成し、前記接着層の前記幅方向の寸法が長手方向に均一であることを特徴とする。
【００１６】
請求項７に係る発明は、請求項１乃至請求項５のいずれかに記載の使い捨て吸収性物品であって、少なくとも長手方向両端部近傍、及び長手方向中間部近傍の前記サイドシートの部位をそれぞれ前記吸収性本体に接合して前記サイドシートの長手方向に少なくとも三カ所接合部位を形成し、前記長手方向に配列する前記接合部位の間には、前記サイドシートと前記吸収性本体とで前記幅方向内方に開口したポケット部が形成されることを特徴とする。
【００１７】
請求項８に係る発明は、請求項１乃至請求項５のいずれかに記載の使い捨て吸収性物品であって、前記サイドシートの前記幅方向の寸法は、前記サイドシートの前記長手方向一方側端部から他方側端部にかけて均一で、前記サイドシートは、前記サイドシートが有する前記長手方向に延びる折曲部を軸に二つ折り状とされており、上側に位置する上側サイドシートと、前記上側サイドシートと対向する下側サイドシート及び／又は前記吸収性本体との間に、前記折曲部から前記幅方向内方に所定の距離のところまでに前記長手方向にわたって接着層を形成し、前記接着層の前記幅方向の寸法が長手方向に均一であることを特徴とする。
【００１８】
請求項９に係る発明は、請求項１乃至請求項５のいずれかに記載の使い捨て吸収性物品であって、前記サイドシートは、前記サイドシートが有する前記長手方向に延びる折曲部を軸に二つ折り状とされており、上側に位置する上側サイドシートにおいて、少なくとも長手方向両端部近傍、及び長手方向中間部近傍の前記上側サイドシートの部位をそれぞれ、前記上側サイドシートに対向する下側サイドシート及び／又は吸収性本体に接合して長手方向に少なくとも三カ所接合部位を形成し、長手方向に配列する前記接合部位の間には、前記上側サイドシートと前記下側サイドシート及び／又は前記吸収性本体とで前記幅方向内方に開口したポケット部が形成されることを特徴とする。
【発明の効果】
【００１９】
請求項１〜９に記載の発明によれば、起立部の起立幅が長手方向に均一であるので、幅方向一方側から見て起立部は略弓状に反った状態となる。したがって、着用者の主に股関節部にフィットし、着用者に異物感や違和感を与えることなく、快適な着用性を確保することができる。
【００２０】
特に請求項３によれば、サイドシートの起立用弾性部材が取り付けられた周辺部位が起立部として起立用弾性部材の収縮により立ち上がるので、サイドシートのほぼ全体が立ち上がっていた従来の使い捨て吸収性物品に比べて、その立ち上がり幅（起立幅）は微小である。したがって、着用者が本発明の使い捨て吸収性物品を着用しようとしたとき、脚を起立部に引っかけることなくスムースに着用することができる。また、当該起立部が着用者の肌に接触しても従来に比べて不快感が少ない。また、起立部の大きさも従来に比べて小さいので起立用弾性部材の収縮により反りやすい。
【００２１】
特に請求項４によれば、起立用弾性部材の収縮により上方に立ち上がる起立部の起立幅は従来に比べて小さく、本発明の使い捨て吸収性物品を着用者が着用したとき、脚を起立部に引っかけることなくスムースに通して着用することができる。また、当該起立部が着用者の肌に接触しても従来に比べて不快感が少ない。また、起立部の大きさも従来に比べて小さいので起立用弾性部材の収縮により反りやすい。
【００２２】
特に請求項６によれば、サイドシートの幅方向の寸法が長手方向に均一で、且つ、接着層の幅方向の寸法（塗布幅の寸法）が長手方向に均一であるので、接着層が形成されていないサイドシートの部位の幅方向の寸法も長手方向に均一となる。接着層が形成されていないサイドシートの部位に起立部があるので、接着層の幅方向の寸法を調整することにより起立部の起立幅を所望する大きさに適宜調整することができる。また、起立幅の大きさが微少量な起立部を新たに設ける必要がなく、従来から用いられているサイドシートを使用することができる。
【００２３】
特に請求項７によれば、幅方向内方に開口したポケット部を形成したことにより、本発明の使い捨て吸収性物品を着用して横姿勢になっていたときに尿等を排泄したとしても、当該尿等は当該ポケット部に一旦留めてそのまま吸収性本体の吸収材に吸収させることができる。つまり、ポケット部に尿等を留めて尿等の横漏れを防止する効果を奏することができる。また、ポケット部を構成しているサイドシートの部位の起立部の起立幅も小さいので、着用し易く快適な着用性を確保することができる。
【００２４】
特に請求項８によれば、サイドシートの幅方向の寸法が長手方向に均一で、且つ、接着層の幅方向の寸法（塗布幅の寸法）が長手方向に均一であるので、接着層が形成されていない上側サイドシートの部位の幅方向の寸法も長手方向に均一となる。接着層が形成されていない上側サイドシートの部位に起立部があるので、接着層の幅方向の寸法を調整することにより起立部の起立幅を所望する大きさに適宜調整することができる。また、起立幅の大きさが微少量な起立部を新たに設ける必要がなく、従来から用いられているサイドシートを使用することができる。
【００２５】
特に請求項９によれば、幅方向内方に開口したポケット部を形成したことにより、本発明の使い捨て吸収性物品を着用して横姿勢になっていたときに尿等を排泄したとしても、当該尿等は当該ポケット部に一旦留めてそのまま吸収性本体の吸収材に吸収させることができる。つまり、ポケット部に尿等を留めて尿等の横漏れを防止する効果を奏することができる。また、ポケット部を構成している上側サイドシートの部位の起立部の起立幅も小さいので、着用し易く快適な着用性を確保することができる。
【発明を実施するための最良の形態】
【００２６】
以下、本発明の好適な実施形態について、図面を参照しつつ説明する。図１及び図２は、本発明の一実施形態に係る使い捨て吸収性物品の斜視図及び側面図であり、図３は、図１の使い捨て吸収性物品をその左右のサイド部を切り離して展開した状態を示す図であり、図４は、図３の使い捨て吸収性物品のＡ−Ａ断面における部分拡大図である。
【００２７】
本実施形態に係る使い捨て吸収性物品１は、例えば、パンツ型の使い捨ておむつであり、図１乃至図３に示すように、使い捨て吸収性物品１の外面側に設けられる外側シート部材２と、外側シート部材２の肌面側に接合される吸収性本体３とを備えている。
【００２８】
外側シート部材２は、通気性に優れ、かつ撥水性を有する合成樹脂繊維製不織布又は合成樹脂製フィルムで成形されている。また、外側シート部材２は、図３に示すように、略矩形状のシート部材において、その矩形の外周を構成する二辺の長辺と二辺の短辺のうち（ここで、二辺の長辺同士が対向し合う方向を左右方向若しくは幅方向、二辺の短辺同士が対向し合う方向を長手方向とする）、対向し合う長辺の中間部（股部２Ｂに対応する部分）が、対向する長辺に向けて切り欠いた平面視略砂時計形状に形成されている。ここで、外側シート部材２において、切り欠きの窪みの最も大きい部位を股部２Ｂ、股部２Ｂを境に図３において上側を前腹部２Ａ、図３において下側を後背部２Ｃとする。そして、股部２Ｂを中心に外側シート部材２を二つ折りにして、前腹部２Ａの左右両縁部１１と後背部２Ｃの左右両縁部１２とを超音波溶着又は加熱溶着等の接合手段によって接合してサイド部を形成し、一つの中空円筒形状のウエスト開口部Ｓを構成している。また、上述した左右両側の切り欠かれた部分によって、左右それぞれに脚開口部Ｒが形成される。こうして、外側シート部材２は図１に示すようなパンツ形状に形成される。
【００２９】
また、ウエスト開口部Ｓを構成する前腹部２Ａ及び後背部２Ｃそれぞれの縁部（図１若しくは図２では上側に位置する縁部）には、ウエスト用弾性部材１５、１６が幅方向に伸長した状態で取り付けられている。弾性部材の取り付けは、以下でも同様にホットメルト接着剤による接着により取り付けるのが好ましい。
【００３０】
また、図１若しくは図２に示すように、前腹部２Ａ及び後背部２Ｃにおいて、それぞれの上側に位置する縁部の下方、かつ、脚開口部Ｒの上方の位置する部位に、胴回り用弾性部材１７、１８が幅方向に伸長された状態で取り付けられている。
【００３１】
また、脚開口部Ｒを構成する脚周り部１９には、脚周り用弾性部材２０、２１が脚周り部１９の縁に沿って伸長された状態で取り付けられている。脚周り用弾性部材２０は、外側シート部材２の前腹部２Ａの脚周り部１９に設けられ、脚周り用弾性部材２１は、外側シート部材２の後背部２Ｃの脚周り部１９に設けられている。そして、外側シート部材２において、脚周り用弾性部材２０と脚周り用弾性部材２１との間には、前後方向に所定の間隙が設けられており、その間の領域Ｃが股下部４にほぼ位置するように設定されている。なお、変形例として、前側の脚周り用弾性部材２０及び背側の脚周り用弾性部材２１のうちのいずれか一方を省略してもよい。
【００３２】
なお、弾性部材１５〜１８、２０、２１は、図４に示すように、外側シート部材２を構成する肌面側の内装シート２２と外側の外装シート２３との間に挟みこんで構成されている。
【００３３】
また、外側シート部材２の脚周り部１９において、脚周り用弾性部材２０、２１が取り付けられている部分及びその外縁側の部分は、ひだ状のレッグギャザーを構成しており、このレッグギャザーが着用者の脚周りにフィットするようになっている。
【００３４】
次に、吸収性本体３について、図３及び図４に基づいて説明する。吸収性本体３は、略シート状の吸収材３１と、その吸収性本体３の左右両側端部に設けられるサイドシート３２とを備えている。また、吸収性本体３は、液透過性のトップシート３３と液不透過性のバックシート３４との間に、吸収材３１を挟み込んで構成されている。吸収材３１は、平面視略砂時計形状の略シート材であり、股下部４を中心にして前後方向に帯状に広がっている。このように構成される吸収性本体３は、外側シート部材２の股部２Ｂの肌面側に接合されている。この接合は、吸収性本体３と外側シート部材２との間にホットメルト等の接着剤を塗布して接着層５０を形成して行われる。また、本実施形態に係るサイドシート３２は、サイドシート３２の長手方向の寸法が、吸収性本体３の長手方向の寸法と略均等で、且つ、サイドシート３２の幅方向の寸法が、サイドシート３２の長手方向一方側端部から他方側端部にかけて均一になるように構成されている。なお、吸収性本体３の左右両側端部において、図４に示すように、折り畳まれたバックシート３４同士の間に接着層５１が、折り畳まれたバックシート３４の上面とトップシート３３の下面との間に接着層５２が、トップシート３３の上面とサイドシート３２の下面（図４では下側サイドシート３２ｃの下面）との間に接着層５３がそれぞれ形成されてそれぞれ接合されている。このような構成にすることにより、吸収材３１が吸収性本体３内に密封されている。
【００３５】
また、サイドシート３２の自由端部近傍には、サイドシート３２のほぼ全長にわたって第１起立用弾性部材３８が長手方向に伸長した状態で取り付けられている。この第１起立用弾性部材３８の収縮により第１起立用弾性部材３８が取り付けられているサイドシート３２の部位、つまり、サイドシート３２の第１起立用弾性部材３８の周辺部位がひだ状となり、上方に立ち上がった状態となる。当該サイドシート３２の部位を起立部３２１とすると、起立部３２１は立体ギャザーとして機能し、尿等をせき止めて使い捨て吸収性物品の両側縁部からの漏れ（横漏れ）を有効に防止させることができる。
【００３６】
また、本実施形態に係る起立部３２１の起立幅Ｐは従来に比べて微少量に設定されており、その値としては、例えば、０．５乃至５ｍｍ程度である。ここでいう「微少量」とは、小さくとも起立部３２１が本来の立体ギャザーとしての機能を損なわない程度の大きさ、つまり、使い捨て吸収性物品１の両側縁部からの尿等の漏れを防止する防波堤としての機能を損なわない程度の大きさであればよい。このため、第１起立用弾性部材３８の収縮により上方に立ち上がる起立部３２１の起立幅Ｐが従来に比べて小さく、したがって、本実施形態に係る使い捨て吸収性物品１を着用者が着用したとき、脚を起立部３２１に引っかけることなくスムースに着用することができる。また、起立部３２１が着用者の肌に接触しても従来に比べて不快感が少ない。また、起立部３２１の大きさも従来に比べて小さいので、第１起立用弾性部材３８の収縮により反り易い。
【００３７】
また、サイドシート３２は、サイドシート３２の自由端部を内向きに折曲可能な折曲部３２ａを長手方向に有し、折曲部３２ａを吸収性本体３の幅方向両側端部近傍に設けている。なお、折曲部３２ａの折り返し端部近傍には、サイドシート３２のほぼ全長にわたって第２起立用弾性部材３９が長手方向に伸長した状態で取り付けられている。この第２起立用弾性部材３９の収縮により、吸収性本体３自体の両側縁部近傍を上方に立ち上がらせる。
【００３８】
サイドシート３２は、図４に示すように、折曲部３２ａを軸に二つ折り状とされており、上側に位置する上側サイドシート３２ｂと、上側サイドシート３２ｂと対向する下側サイドシート３２ｃとの間に、折曲部３２ａから幅方向内側に所定の距離のところまでに長手方向にわたって幅方向の寸法が均一な接着層４０を形成させる。なお、上述したように下側サイドシート３２ｃはトップシート３３と接着層５３を介して接合している。ここで、上側サイドシート３２ｂにおいて、接着層４０が形成されている部位を基部３２２、基部３２２より幅方向内側に位置する部位を起立部３２１とする。また、立ち上がった状態での起立部３２１の先端部からトップシート３３の上面までの距離を起立部３２１の起立幅Ｐとし、接着層４０を形成している所定の距離、つまり、接着層４０の幅方向の寸法をＱとする。なお、起立部３２１と下側サイドシート３２ｃとの間には接着層は形成されておらず、起立部３２１の先端部はサイドシート３２の自由端部に相当する。このため、起立部３２１の先端部近傍に取り付けられている第１起立用弾性部材３８の収縮により、起立部３２１は上方に立ち上がったひだ状の立体ギャザーとなる。
【００３９】
以上のような構成にすることにより、サイドシート３２の幅方向の寸法がサイドシート３２の長手方向一方側端部から他方側端部にかけて均一であるので、第１起立用弾性部材３８の収縮により立ち上がり易く、立ち上がった起立部３２１も長手方向にかけて均一となり、その結果、起立部３２１は幅方向一方側から見て綺麗な円弧を描く略弓状に反った状態となる。したがって、着用者の主に股関節部にフィットし、着用者に異物感や違和感を与えることなく、快適な着用性を確保することができる。
【００４０】
また、接着層４０の幅方向の寸法も長手方向に均一であるので、接着層が形成されていない上側サイドシート３２ｂの部位の幅方向の寸法も長手方向に均一となる。接着層が形成されていない上側サイドシート３２ｂの部位は起立部３２１であるので、接着層４０の幅方向の寸法Ｑを調整することにより起立部３２１の起立幅Ｐを所望する大きさに適宜修正することができる。例えば、起立部３２１の起立幅Ｐを接着層４０の幅方向の寸法Ｑよりも小さくなるように設定する。図４に示すように、接着層４０が形成されているサイドシート３２の基部３２２と起立部３２１とは幅方向に繋がっており、接着層４０の幅方向の寸法Ｑを大きくすると、基部３２２からサイドシート３２の自由端部までの寸法、つまり、サイドシート３２の起立部３２１の先端部までの寸法が小さくなり、結果として、起立部３２１の起立幅であるＰの大きさも小さくなる。また、起立幅Ｐの大きさが微少量な起立部を新たに設ける必要はなく、従来から用いられているサイドシートを使用して所望する起立幅Ｐを有する起立部を得ることができる。
【００４１】
以上、本発明の一実施形態について説明したが、本発明は上記の実施形態に限定されるものではない。
【００４２】
例えば、図５に示すように、上側サイドシート３２ｂにおいて、長手方向両端部近傍、及び長手方向中間部近傍の上側サイドシート３２ｂの部位をそれぞれ、下側サイドシート３２ｃと接合させて、長手方向に三カ所接合部位４１を形成し、長手方向一方側の接合部位を４１ａ、他方側の接合部位を４１ｂ、中途部の接合部位を４１ｃとし、その総称を接合部位４１とする。そして、接合部位４１ｃと、接合部位４１ｃと長手方向に隣接する接合部位４１ａ及び接合部位４１ｂとの間にはそれぞれ、上側サイドシート３２ｂと下側サイドシート３２ｃとで幅方向内方に開口したポケット部４２が形成されている。このようにポケット部４２を形成したことにより、使い捨て吸収性物品１を着用して横姿勢になったときに尿等を排泄したとしても、当該尿等はポケット部４２に一旦溜めてそのまま吸収性本体３の吸収材３１に吸収させることができる。つまり、ポケット部４２に尿等を留めて尿等の横漏れを防止する効果を奏することができる。また、ポケット部４２を構成している上側サイドシート３２ｂの部位の起立部３２１の起立幅も小さいので、着用し易く快適な着用性を確保することができる。なお、本実施形態では、二つのポケット部４２が接合部位４１ｃを挟んで並列した構成となっているが、各ポケット部４２を構成している上側サイドシート３２ｂの起立部の起立幅は共に長手方向に均一である。
【００４３】
また、上記実施形態では、上側サイドシート３２ｂと、上側サイドシート３２ｂと対向する下側サイドシート３２ｃとの間に接着層４０を形成したが、上側サイドシート３２ｂと、上側サイドシート３２ｂと対向するトップシート３３との間にも接着層４０を形成してもよく、上側サイドシート３２ｂと、上側サイドシート３２ｂと対向する下側サイドシート３２ｃ及びトップシート３３との間にも接着層４０を形成してもよい。また、ポケット部４２の形成についても同様で、上側サイドシート３２ｂと、上側サイドシート３２と対向するトップシート３３とでポケット部４２を形成してもよい。
【００４４】
また、上記実施形態では、サイドシート３２が二つ折りにされている場合について記載したが、サイドシート３２を二つ折りにせずに幅方向の寸法Ｑを有する接着層４０を形成することもできる。詳しくは、図６に示すように、サイドシート３２と、サイドシート３２と対向するトップシート３３との間に、サイドシート３２若しくはトップシート３３の幅方向両外端部から幅方向内側に所定の距離Ｑのところまでに長手方向にわたって幅方向の寸法が均一な接着層４０を形成させる。ここで、サイドシート３２において、接着層４０が形成されている部位を基部３２２、基部３２２より幅方向内側に位置する部位を起立部３２１とする。なお、起立部３２１とサイドシート３２との間には接着層は形成されておらず、起立部３２１の先端部はサイドシート３２の自由端部に相当する。また、サイドシート３２の外側端部近傍には、サイドシート３２のほぼ全長にわたって第２起立用弾性部材３９が長手方向に伸長した状態で取り付けられている。このような構成にすることで、起立部３２１の先端部近傍に取り付けられている第１起立用弾性部材３８の収縮により、起立部３２１は上方に立ち上がったひだ状の立体ギャザーとなる。なお、この実施形態では、折曲部３２ａを設けても設けなくてもどちらでもよい。折曲部３２ａを設けない場合は、図６に示すように、サイドシート３２とトップシート３３とを別部材で形成しておき、接着層４０で互いに接合させる構成にすることもできる。
【００４５】
また、ポケット部４２の形成については、サイドシート３２と吸収性本体３のトップシート３３とで形成することもできる。詳しくは、図７に示すように、長手方向に延びるサイドシート３２において、長手方向両端部近傍、及び長手方向略中途部近傍のサイドシート３２の部位をそれぞれトップシート３３と接合して、長手方向に三カ所接合部位４１を形成し、長手方向一方側の接合部位を４１ａ、他方側の接合部位を４１ｂ、中途部の接合部位を４１ｃとし、その総称を接合部位４１とする。そして、接合部位４１ｃと長手方向に隣接する接合部位４１ａ及び接合部位４１ｂとの間にはそれぞれ、サイドシート３２とトップシート３３とで幅方向内方に開口したポケット部４２が形成されている。このようにポケット部４２を形成したことにより、使い捨て吸収性物品１を着用して横姿勢になったときに尿等を排泄したとしても、当該尿等はポケット部４２に一旦溜めてそのまま吸収性本体３の吸収材３１に吸収させることができる。つまり、ポケット部４２に尿等を留めて尿等の横漏れを防止する効果を奏することができる。また、ポケット部４２を構成しているサイドシート３２の部位の起立部３２１の起立幅も小さいので、着用し易く快適な着用性を確保することができる。なお、本実施形態では、接合部位を三カ所に設けてポケット部を二カ所に形成したが、更に多くの接合部位及びポケット部を形成してもよい。また、本実施形態でも、二つのポケット部４２が接合部位４１ｃを挟んで並列した構成となっているが、各ポケット部４２を構成しているサイドシート３２の起立部の起立幅は共に長手方向に均一である。
【００４６】
また、上記実施形態では、脚周り用弾性部材２０と脚周り用弾性部材２１との間に、前後方向に所定の間隔を設けてその間に領域Ｃを設定していたが、当該所定の間隙がない構成にしてもよい。
【００４７】
また、上記実施形態では、トップシート３３と別体に構成したサイドシート３２を吸収性本体３の幅方向両側端部に設けた構成について説明したが、サイドシート３２とトップシート３３とを実質的に一体の構成としてもよい。この場合、接着層４０を形成せずに幅方向の寸法が小さいサイドシートを用いることで起立部３２１の起立幅Ｐを微少量とすることもできる。
【００４８】
なお、上記実施形態では、起立部３２１の起立幅Ｐを、立ち上がった状態での起立部３２１の先端部からトップシート３３の上面までの距離としたが、立ち上がった状態での起立部３２１の先端部から下側サイドシート３２ｃの上面までの距離を起立部の起立幅Ｐとしてもよい。また、図４及び図６では、接着層４０、５０、５１、５２、５３を厚みをもたせて図示しているが、これは分かりやすくするために誇張させたものであり実際はかなり薄い。したがって、立ち上がった状態での起立部３２１の先端部から下端部までの距離を起立部３２１の起立幅Ｐとすることもできる。
【００４９】
また、上記実施形態では、吸収性本体３を外側シート部材２に取り付けたパンツ型使い捨て吸収性物品１について説明したが、吸収性本体３単体を既存のおむつカバー等にテープで装着して使用したり、既存のパンツ型使い捨ておむつの吸収性本体の上に重ね置きする交換可能な尿パッドやナプキンとして使用することも可能である。
【図面の簡単な説明】
【００５０】
【図１】本発明の一実施形態に係る使い捨て吸収物品の斜視図である。
【図２】図１の使い捨て吸収性物品の側面図である。
【図３】図１の使い捨て吸収性物品を展開した状態を示す図である。
【図４】図３の使い捨て吸収性物品のＡ−Ａ断面の部分拡大図である。
【図５】他の実施形態に係る使い捨て吸収性物品の吸収性本体とサイドシートの平面図である。
【図６】他の実施形態に係る使い捨て吸収性物品の断面の部分拡大図である。
【図７】他の実施形態に係る使い捨て吸収性物品の吸収性本体とサイドシートの平面図である。
【符号の説明】
【００５１】
１  使い捨て吸収性物品
３  吸収性本体
３２  サイドシート
３２ａ  折曲部
３２ｂ  上側サイドシート
３２ｃ  下側サイドシート
３２１  起立部
３２２  基部
３８  第１起立用弾性部材
３９  第２起立用弾性部材
４０  接着層
４１  接合部位
４１ａ  長手方向一方側の接合部位
４１ｂ  長手方向他方側の接合部位
４１ｃ  長手方向中途部の接合部位
４２  ポケット部
Ｐ  起立部の立ち上がり幅
Ｑ  接着層の幅方向の寸法
【図１】
2010094334.tif 000003
【図２】
2010094334.tif 000004
【図３】
2010094334.tif 000005
【図４】
2010094334.tif 000006
【図５】
2010094334.tif 000007
【図６】
2010094334.tif 000008
【図７】
2010094334.tif 000009